(57)【要約】      （修正有）【課題】携帯機器を装身するためのベルトクリップを携帯機器のケース背面に脱着自在に設けて成るベルトクリップ取り付け構造において、ベルトクリップの取り外し時に抜け止め解除を容易に行う。【解決手段】ベルトクリップ取り付け構造は、ケース１１背面に設けたレール部３と、ベルトクリップ２に設けたスライド部４と、を備え、レール部３により形成されるガイド空間にスライド部４をスライド嵌合させてベルトクリップ２を取り付け、スライド部４は、抜け止めのためのバネ片を備え、バッテリーパック収納用空間１５にバッテリーパックを収納したとき、バッテリーパックの一端によってスライド部４の後端を押さえ、空間１５にバッテリーパックを収納していないとき、スライド部４のバネ片の先端部４４が空間１５に臨む状態になる。【選択図】図２
2020161526.tif 000002
【特許請求の範囲】
【請求項１】
携帯機器を装身するためのベルトクリップを携帯機器のケース背面に脱着自在に設けて成るベルトクリップ取り付け構造において、  前記ケース背面に設けた一対のレール部と、  前記ベルトクリップに設けたスライド部と、を備え、  前記レール部により形成されるガイド空間に前記スライド部をスライド嵌合させることで前記ベルトクリップを前記ケースに取り付け、  前記スライド部は、前記スライド部の抜け止めのためのバネ片を備え、  前記ケース背面側にバッテリーパック収納用空間が設けられており、前記空間にバッテリーパックを収納したとき、前記バッテリーパックの一端によって、前記スライド部の後端を押さえ、前記空間にバッテリーパックを収納していないとき、前記スライド部のバネ片の先端部が前記空間に臨む状態になることを特徴としたベルトクリップ取り付け構造。
【請求項２】
前記スライド部のバネ片は、凸部を備え、  前記ケース背面は、前記ガイド空間に面して凹部を備え、  前記凸部と前記凹部との係合により前記スライド部の抜け止めが成されることを特徴とした請求項１記載のベルトクリップ取り付け構造。
【請求項３】
請求項１又は請求項２に記載のベルトクリップ取り付け構造を備えた携帯型無線機器。  
【発明の詳細な説明】
【技術分野】
【０００１】
本発明は、ベルトクリップ取り付け構造及びそれを備えた携帯型無線機器に関するものである。
【背景技術】
【０００２】
従来から、携帯型無線機器等の携帯機器に装身用のベルトクリップを取り付ける構造として、携帯機器のケース背面にレール部を設け、ベルトクリップにスライド部を設け、レール部にスライド部をスライド嵌合させることで、ベルトクリップを携帯機器のケース背面にワンタッチで脱着可能にしたものが知られている（例えば特許文献１参照）。  
【０００３】
この構造においては、バッテリーパック収納部にカバーを取り付けると、カバーの前端によって、ベルトクリップのスライド部の後端を押さえ、抜け止めを図っている。さらに、ケース背面のレール部に凸部を設け、ベルトクリップのスライド部に、前記凸部に係合し得る板バネを設け、板バネの係止突起をレール部の凸部に係合させ、これにより、ベルトクリップを取り付けた状態では、カバーを取り外しても、ベルトクリップが不用意に外れることを防止している。ベルトクリップを取り外すときは、カバーを取り外して、板バネの先端片を摘まんで係止突起と凸部との係合を解除してから、スライド部をスライドさせて取り外す。
【先行技術文献】
【特許文献】
【０００４】
【特許文献１】特許第４４５２５２１号公報
【発明の概要】
【発明が解決しようとする課題】
【０００５】
ところで、上記特許文献１に示されるような構造においては、ベルトクリップを取り外すとき、係止突起と凸部との係合（抜け止めヒンジ）を解除するために、板バネの先端片を掴んで持ち上げる必要がある。しかしながら、板バネの先端片を掴むための隙間が狭いため、その作業は難しい。この隙間が狭くなっているのは、板バネの先端片が、カバー装着側に臨むのではなく、カバー装着側とは反対側、すなわち、携帯機器の上方側（携帯機器が縦方向姿勢のとき）に臨んでいて、板バネの先端片近くにベルトクリップの上端が位置していることによる。  
【０００６】
本発明は、上記問題を解消するものであり、ワンタッチで脱着可能なベルトクリップが不用意には外れることがなく脱落防止が図れ、しかも、ベルトクリップの取り外し時には抜け止め解除を容易に行うことができ、容易に取り外し作業を行える、ベルトクリップ取り付け構造及びそれを備えた携帯型無線機器を提供することを目的とする。
【課題を解決するための手段】
【０００７】
本発明は、携帯機器を装身するためのベルトクリップを携帯機器のケース背面に脱着自在に設けて成るベルトクリップ取り付け構造において、  前記ケース背面に設けた一対のレール部と、  前記ベルトクリップに設けたスライド部と、を備え、  前記レール部により形成されるガイド空間に前記スライド部をスライド嵌合させることで前記ベルトクリップを前記ケースに取り付け、  前記スライド部は、前記スライド部の抜け止めのためのバネ片を備え、  前記ケース背面側にバッテリーパック収納用空間が設けられており、前記空間にバッテリーパックを収納したとき、前記バッテリーパックの一端によって、前記スライド部の後端を押さえ、前記空間にバッテリーパックを収納していないとき、前記スライド部のバネ片の先端部が前記空間に臨む状態になることを特徴とする。  
【０００８】
上記において、前記スライド部のバネ片は、凸部を備え、前記ケース背面は、前記ガイド空間に面して凹部を備え、前記凸部と前記凹部との係合により前記スライド部の抜け止めが成されることが望ましい。  
【０００９】
また、本発明は、上記のベルトクリップ取り付け構造を備えた携帯型無線機器である。
【発明の効果】
【００１０】
本発明によれば、バッテリーパック収納用空間にバッテリーパックを収納した状態ではベルトクリップの外れが防止され、また、ベルトクリップを取り外すときは、バッテリーパックを外せば、スライド部のバネ片の先端部を掴みやすいので、抜け止め解除作業を容易に行え、容易にベルトクリップの取り外しを行うことができる。
【図面の簡単な説明】
【００１１】
【図１】本発明の一実施形態に係るベルトクリップの取り付け構造を備えた携帯機器の側面図である。
【図２】前記取り付け構造を備えた携帯機器において、バッテリーパックを取り外し、かつベルトクリップを装着する前の同機器の背面側を斜め上方から見た斜視図である。
【図３】上記図３の状態からベルトクリップを装着した後の同機器の背面側を斜め上方から見た斜視図である。
【図４】（ａ）は前記取り付け構造における携帯機器のケース背面のレール部を示す斜視図、（ｂ）はベルトクリップのスライド部を示す斜視図である。
【図５】前記取り付け構造におけるレール部にベルトクリップのスライド部をスライド嵌合させる様子を示す部分側断面図である。
【図６】前記取り付け構造におけるレール部にベルトクリップのスライド部をスライド嵌合させた状態の断面図である。
【図７】前記取り付け構造におけるベルトクリップ装着状態でバッテリーパックを取り外した状態の要部斜視図である。
【図８】前記取り付け構造を備えた携帯機器においてベルトクリップの抜け止め解除作業をする要領を、従来との対比で説明する斜視図である。
【発明を実施するための形態】
【００１２】
以下、本発明の一実施形態に係るベルトクリップの取り付け構造を備えた携帯機器について図面を参照して説明する。図１は、ベルトクリップの取り付け構造を備えた携帯機器を示す。携帯機器１は、本例では携帯型無線機器であり、携帯機器１をユーザが装身するためのベルトクリップ２を携帯機器１のケース１１の背面に脱着自在に備えている。ベルトクリップ２をケース１１に取り付けるためのベルトクリップ取り付け構造５は、ケース１１の背面に設けたレール部３と、ベルトクリップ２に設けられスライド部４とを備え、ベルトクリップ２のスライド部４がレール部３にスライド嵌合されることによりワンタッチで取り付けることができる。  
【００１３】
ケース１１の背面には、バッテリーパック収納用空間１５（以下、空間という）が設けられ、この空間１５にバッテリーパック１２が収納、装着される。ベルトクリップ取り付け構造５は、空間１５の直上方に配置されている。なお、本明細書において、上下の概念は、携帯機器１のアンテナ側を上に立てた状態での方向を言う。ベルトクリップ２は、スライド部４を構成するブロックに軸部を介して保持され、軸部に設けたバネによりベルトクリップ２の下端が閉じ方向、つまりバッテリーパック１２側に回動付勢されている。  
【００１４】
図２は、取り付け構造５を備えた携帯機器１の、ベルトクリップ２装着前の状態を示し、図３は、ベルトクリップ２を装着後の状態を示す。ベルトクリップ２を携帯機器１に装着するときは、バッテリーパック収納用空間１５にバッテリーパック１２を収納していない、すなわち取り外した状態において、矢印Ａに示すように、ベルトクリップ２を携帯機器１の同空間１５側からアクセス、移動させて、ベルトクリップ２のスライド部４を携帯機器１のケース１１の背面にあるレール部３にスライド嵌合させる。このとき、後述する抜け止め解除に用いられるスライド部４のバネ片の先端部４４が空間１５に臨む状態になる。なお、ケース１１の空間１５を形成する上面壁には、バッテリーパック１２上面の位置決め突部１２ａが嵌まり込む窪み１４が設けられている。  
【００１５】
図４（ａ）は取り付け構造５における携帯機器１のケース１１の背面のレール部３を示し、図４（ｂ）はベルトクリップ２のスライド部４を示す。レール部３は、ケース１１の背面に一体に断面Ｌ字状に形成された一対のレール部材３１により構成され、レール部３の一端側は開口している。レール部材３１はガイド空間３１ａ，３１ｂを形成し、このガイド空間３１ａ，３１ｂは、スライド部４を受け入れるものである。  
【００１６】
ベルトクリップ２のスライド部４は、断面Ｌ字状に形成された一対のスライド片４１を備え、スライド片４１により溝４１ａ，４１ｂが形成されている。この溝４１ａ，４１ｂは、一対のレール部材３１を受け入れるものである。レール部材３１の奥方の壁３４は、ベルトクリップ２のスライド部４をレール部３にスライド嵌合させたときのストッパーとなるものである。  
【００１７】
ベルトクリップ２の抜け止めヒンジ構成として、ガイド空間３１ａ，３１ｂに面するケース１１の背面の所定位置に凹部３３を備え、スライド部４は、自身の抜け止めのための弾性を有するバネ片４２を一体に備え、バネ片４２は、その先端寄りに、前記凹部３３に係合可能な凸部４３を備えている。バネ片４２は、一対のスライド片４１の間に位置し、一端基部がスライド部４のブロックに一体に形成され、他端が自由な先端部４４とされている。凸部４３と凹部３３との係合により、スライド部４の抜け止めが成される。  
【００１８】
バネ片４２の先端部４４は、ベルトクリップ２の取り外しに際し、凸部４３と凹部３３との係合による抜け止めを解除（ヒンジ解除）時の摘まみとなる。バネ片４２は、スライド部４のブロックと一体に樹脂成型されれば、樹脂ヒンジとなる。なお、レール部３とスライド部４とは、互いにスライド嵌合されるものであればよく、任意の構成を採用することができ、上記実施形態の構成に限られるものではない。  
【００１９】
図５は、レール部３にベルトクリップ２のスライド部４をスライド嵌合させる様子を示す。ベルトクリップ２のスライド部４をレール部３に装着するに際して、一対のレール部材３１のガイド空間３１ａ，３１ｂに沿ってその開口側からスライド部４を挿入させると、レール部材３１がスライド片４１の溝４１ａ，４１ｂ内にスライド嵌合される。嵌合状態では、バネ片４２の凸部４３とケース１１の凹部３３とが係合して、ベルトクリップ２の確実な抜け止め効果が得られる。  
【００２０】
図６は、レール部３にベルトクリップ２のスライド部４をスライド嵌合させた状態を示す。空間１５にバッテリーパック１２を収納したとき、バッテリーパック１２の一端（前端）によって、スライド部４の後端（図示のＢ部）を押さえるので、ベルトクリップ２が外れることが防止される。  
【００２１】
図７は、ベルトクリップ装着状態でバッテリーパック１２を取り外した状態を示す。ベルトクリップ２を取り外すときには、先ず、バッテリー収納用空間１５からバッテリーパック１２を取り外す。このとき、解除に用いられるスライド部４のバネ片４２の先端部４４が空間１５に臨む状態になる。この状態にて、作業者は指でバネ片４２の先端部４４を摘まんで、矢印Ｃに示すように上に持ち上げて、凸部４３と凹部３３との係合を解除する。その後に、ベルトクリップ２（スライド部４）を矢印Ｄ方向にスライド移動させて取り外す。バッテリー収納用空間１５からバッテリーパック１２を取り外した状態では、バネ片４２の先端部４４を持ち上げる空間が比較的広いので、この空間に指を入れバネ片４２の先端部４４を掴み易く、抜け止めヒンジ解除の作業は容易となり、ベルトクリップ２を容易に取り外すことができる。  
【００２２】
図８は、携帯機器
１においてベルトクリップ２の抜け止め解除作業をする要領を従来との対比で説明するものである。従来技術で説明したベルトクリップ取り付け構造では、抜け止めヒンジを解除するには、ベルトクリップの解除時に力を加える力点と携帯機器ケース本体との間の隙間（矢印Ｅ部分）に指を入れてヒンジを持ち上げる必要があるが、ヒンジの先端片を掴むための隙間が狭いため、その作業は難しかった。  
【００２３】
それに対し、本実施形態の構成によれば、バッテリー収納用空間１５からバッテリーパック１２を取り外した状態では、バネ片４２の先端部４４を持ち上げる空間（矢印Ｆ部分）が比較的広く、従って、この空間に指を入れバネ片４２の先端部４４を摘まんで持ち上げることが容易となり、抜け止めヒンジ解除の作業は容易となる。なお、力点を押し下げベルトクリップ２を開けば、指を入れる空間はさらに広くなり、取り外し作業はより容易となる。  
【００２４】
上述したように、携帯機器１をベルトクリップ２によって衣服等に装着して使用中に、バッテリー収納用空間１５にバッテリーパック１２が収納されているときは、バッテリーパック１２によりベルトクリップ２が外れることは防止される。また、バッテリーパック１２を取り外しても、抜け止め構造があるため、ベルトクリップ２が不用意に外れることは防止される。さらにまた、抜け止めヒンジ解除の作業は容易となり、ベルトクリップ２を容易に取り外すことができる。  
【００２５】
本発明は、上記実施形態の構成に限られず、種々の変形が可能である。例えば、ケース１１の背面のレール部３及びベルトクリップ２のスライド部４のスライド嵌合構成は、任意の構成を採用し得る。また、抜け止めヒンジ構成は、上記の凸部４３と凹部３３との係合構成に替えて、バネ片４２がケース１１の背面に圧接して抜け止めを図るような構成であっても構わない。
【産業上の利用可能性】
【００２６】
本発明のベルトクリップの取り付け構造は、携帯型トランシーバ等の電子機器全般において利用することが可能である。
【符号の説明】
【００２７】
１  携帯機器  １１  ケース  １２  バッテリーパック  １５  バッテリーパック収納用空間  ２  ベルトクリップ  ３  レール部  ３１  レール部材  ３１ａ，３１ｂ  ガイド空間  ３３  凹部  ４  スライド部  ４１  スライド片  ４１ａ，４１ｂ  溝  ４２  バネ片  ４３  凸部  ４４  先端部  ５  ベルトクリップ取り付け構造  
【図１】
2020161526.tif 000003
【図２】
2020161526.tif 000004
【図３】
2020161526.tif 000005
【図４】
2020161526.tif 000006
【図５】
2020161526.tif 000007
【図６】
2020161526.tif 000008
【図７】
2020161526.tif 000009
【図８】
2020161526.tif 000010